(57)【要約】      （修正有）【課題】テープ止め作業を効率的に行うことができるテープカッターを提供する。【解決手段】左右一対のカッター本体１０、２０を結合したテープカッター１であり、各カッター本体１０、２０は、一対の側板１１ａ、１１ｂ、２１ａ、２１ｂと、テープ切断部１３、２３と、引き出したテープ４１を下方に配置するガイド部１４、２４と、テープロール支持部１５と、切り欠き部１６、２６とを備え、各カッター本体１０、２０は、切り欠き部１６、２６を備えた他方の側板１１ｂ、２１ｂがカッター全体の幅方向外側に位置するように形成されているので、同時に２箇所のテープ止めを行うことができる。【選択図】図５
0003227456.tif 000002
【実用新案登録請求の範囲】
【請求項１】
左右一対のカッター本体が幅方向に間隔をおいて配置され、各カッター本体に回転自在に保持されたテープロールからテープを引き出して切断するテープカッターであって、
各カッター本体は、互いにカッター本体の幅方向に対向する一対の側板と、カッター本体の前端側に設けられたテープ切断部と、カッター本体の後端側に設けられ、テープロールが回転可能に載置されるテープロール支持部とを備え、
各カッター本体の一方の側板には、テープロールとテープ切断との間のテープを下方に案内するガイド部が幅方向に突設され、他方の側板には、テープロールから引き出したテープをガイド部の下方と他方の側板との間を挿通させるための切り欠き部が形成され、
各カッター本体は、切り欠き部を備えた他方の側板がカッター全体の幅方向外側に位置するように形成されている
ことを特徴とするテープカッター。
【請求項２】
前記切り欠き部は、他方の側板におけるガイド部に対向する部分およびその近傍を切り欠くように形成されている
ことを特徴とする請求項１記載のテープカッター。
【考案の詳細な説明】
【技術分野】
【０００１】
本考案は、ロール状に巻かれた粘着テープに用いられるテープカッターに関するものである。
【背景技術】
【０００２】
従来、片面粘着テープがロール状に巻かれたテープロールを所定の位置に支持し、テープロールから繰り出されるテープを切断するテープカッターが広く普及している。一般的なテープカッターとしては、テープロールを支持するテープロール支持部と、テープロール支持部が回転自在に取り付けられたカッター本体と、カッター本体の前端に設けられたテープ切断部とを備え、テープロールから引き出した粘着テープをテープ切断部で切断するようにしたものが知られている（例えば、特許文献１参照）。テープロール支持部材は、テープロールの内周部分に嵌合可能に形成されており、テープロール取り替え時には、テープカッター本体から取り外し、新しいテープロールを装着してカッター本体に戻される。
【０００３】
ところで、コンビニエンスストアやスーパーマーケットでは、弁当や惣菜等の食品が販売されており、その容器と蓋は、分離しないようにテープ止めされることが多い。例えば、四角形状の容器の場合、対向する辺の２箇所がテープ止めされるが、このようなテープ止め作業は通常、手作業により行われている。
【０００４】
上述したように、テープ止めを手作業で行う場合、容器の数が多くなると、テープ止め作業に多大な時間を要する。そのため、テープ止め作業の効率化が望まれており、例えば、テープカッターを作業場に固定して使用するようにしている。テープカッターを固定することで、一方の手で容器を押さえながら他方の手でテープ止め作業を行うことができ、テープ止め作業の時間が短縮される。
【先行技術文献】
【特許文献】
【０００５】
【特許文献１】特開２０１４−４０３０２号公報
【考案の概要】
【考案が解決しようとする課題】
【０００６】
しかしながら、前述のように、四角形状の梱包容器の対向する２辺にテープ止めする場合、一方の辺をテープ止めした後に容器を左右反転させて他方の辺をテープ止めするという２段階の作業が必要となる。したがって、テープ止め作業に手間がかかり、作業時間の短縮を十分に図ることができなかった。また、テープロールを取り替える場合、一旦テープロール支持部材をテープカッター本体から取り外し、使用済みのテープロールをテープロール支持部材から取り外した後、新しいテープロールを取り付けてからテープロール支持部材をテープカッター本体に戻すという３段階の作業が必要である。このようなテープロールの取り替え作業は、片手では容易に行うことができないため、両手を使用する必要があり、作業効率化を図るためには改善する余地があった。
【０００７】
本考案は前記問題点に鑑みてなされたものであり、その目的とするところは、テープ止め作業を効率的に行うことのできるテープカッターを提供することにある。
【課題を解決するための手段】
【０００８】
本考案のテープカッターは、前記目的を達成するために、左右一対のカッター本体が幅方向に間隔をおいて配置され、各カッター本体に回転自在に保持されたテープロールからテープを引き出して切断するテープカッターであって、各カッター本体は、互いにカッター本体の幅方向に対向する一対の側板と、カッター本体の前端側に設けられたテープ切断部と、カッター本体の後端側に設けられ、テープロールが回転可能に載置されるテープロール支持部とを備え、各カッター本体の一方の側板には、テープロールとテープ切断との間のテープを下方に案内するガイド部が幅方向に突設され、他方の側板には、テープロールから引き出したテープをガイド部の下方と他方の側板との間を挿通させるための切り欠き部が形成され、各カッター本体は、切り欠き部を備えた他方の側板がカッター全体の幅方向外側に位置するように形成している。
【０００９】
これにより、２つのカッター本体から両手で同時にテープを引き出すことができ、一度に２か所のテープ止めをすることができる。また、テープロールを取り替える際は、使用済みテープロールを上方向に取り出し、新しいテープロールを上方からテープロール支持部に載置して取り付けることができる。その際、テープロールから引き出したテープをカッター全体の幅方向外側にそれぞれ位置する切り欠き部からガイド部の下方に配置することができる。
【考案の効果】
【００１０】
本考案によれば、２か所のテープ止めを同時に行うことができるのでテープ止め作業の効率化を図ることができるとともに、テープロールの取り替え作業も迅速に行うことができる。
【図面の簡単な説明】
【００１１】
【図１】本考案の一実施形態を示すテープカッターの斜視図
【図２】テープカッターの側面図
【図３】図２におけるＡ−Ａ線矢視方向断面図
【図４】テープカッターの平面図
【図５】テープカッターの使用状態を示す斜視図
【図６】テープロールの装着工程を示すテープカッターの側面断面図
【図７】テープロールの装着工程を示すテープカッターの側面図
【図８】テープロールの装着状態を示すテープカッターの側面図
【考案を実施するための形態】
【００１２】
図１乃至図８は本考案の一実施形態を示すもので、ロール状に巻かれた粘着テープに用いられるテープカッターを示すものである。
【００１３】
本実施形態のテープカッター１は、図１に示すように、第１のカッター本体１０と、第２のカッター本体２０と、第１および第２のカッター本体１０，２０を連結するための連結板３０とからなる。
【００１４】
第１のカッター本体１０は、図２乃至図３に示すように、テープロール４０を装着して使用されるものであり、互いに対向する一対の側板１１ａ，１１ｂと、連結板３０に連結される底板１２と、テープロール４０から引き出したテープ４１を切断するためのテープ切断部１３と、テープロール４０から引き出したテープ４１を下方に案内するガイド部１４と、テープロール４０を支持する一対のテープロール支持部１５とを備えている。
【００１５】
各側板１１ａ，１１ｂおよび底板１２は、一枚の板材をコ字状に曲げ加工することにより形成されている。一方の側板１１ａには、各側板１１ａ，１１ｂの間隔とほぼ同等の長さを有する回転自在なガイド部１４が幅方向に突設されている。他方の側板１１ｂには、テープロール４０から引き出したテープ４１をガイド部１４の下方に他方の側板１１ｂ側から挿通させるための切り欠き部１６が形成されている。
【００１６】
テープ切断部１３は、カッター本体の前端側に設けられ、その上端には幅方向に延びる刃部１３ａが設けられている。
【００１７】
ガイド部１４は、ローラ１４ａと、ローラ１４ａを回転可能に支持する軸部１４ｂとからなる。軸部１４ｂは、一端を板１１ａに接合され、他端部にはローラ１４ａの軸方向の移動を規制する円板状のローラ規制部１４ｃが接合されている。
【００１８】
テープロール支持部１５は、カッター本体１０の後端部の前後方向の下部の２か所にテープロール４０の外径よりも小さい間隔をおいて設けられ、テープロール４０を第１のカッター本体１０の上方から各側板１１a，１１ｂの間に入れるように載置することにより、テープロール４０を各テープロール支持部１５上で回転可能かつ所定の位置に保持するようになっている。
【００１９】
切り欠き部１６は、他方の側板１１ｂに形成されており、一方の側板１１ａから突設されているガイド部１４に対向する部分およびその近傍を凹状に切り欠くように形成されている。
【００２０】
第２のカッター本体２０は、第１のカッター本体１０と同様の一対の側板２１ａ，２１ｂ、底板２２、テープ切断部２３、刃部２３ａ、ガイド部２４、ローラ２４ａ、軸部２４ｂ、ローラ規制部２４ｃ、テープロール支持部２５および切り欠き部２６からなり、各側板２１a，２１ｂは第１のカッター本体１０の各側板１１a，１１ｂと左右反対の位置に設けられている。
【００２１】
以上のように構成された各カッター本体１０，２０は、切り欠き部１６，２６を備えた他方の側板１１ｂ，２１ｂがテープカッター１全体の幅方向外側に位置するように底板１２，２２を連結板３０に固定されることにより、互いに連結板３０によって連結されている。
【００２２】
前記各カッター本体１０，２０にテープロール４０を装着する場合は、図６に示すように、各カッター本体１０（２０）の上側からテープロール４０を各テープロール支持部１５（２５）上に載置する。次に、テープロール４０からテープ４１を引き出し、引き出したテープ４１をガイド部１４（２４）と他方の側板１１ｂ（２１ｂ）の切り欠き部１６（２６）との間の空間に側方から挿通し、図７に示すように、ガイド部１４（２４）の下方を通るようにして、テープ切断部１３（２３）までテープ４１を引張る。
【００２３】
前述のようにテープロール４０をセットすることで、引き出したテープ４１がガイド部１４（２４）の下方を通ることから、図８に示すように、テープ４１を引き出す際にテープロール４０のテープ引出部４０aに加わる力は図中実線矢印に示すような下向きの力となる。これにより、テープを引き出した際にテープロール４０が各テープロール支持部１５（２５）に押し付けられ、テープロール４０が各テープロール支持部１５（２５）上に保持される。
【００２４】
このように、本実施形態のテープカッター１は、左右一対のカッター本体１０，２０が幅方向に間隔をおいて配置され、各カッター本体１０，２０に回転自在に保持されたテープロール４０からテープ４１を引き出して切断するようになっているので、２箇所のテープ止めを同時に行うことができ、テープ止め作業の効率化を図ることができる。
【００２５】
また、各カッター本体１０，２０は、互いにカッター本体１０，２０の幅方向に対向する一対の側板１１a，１１ｂ，１２a，１２ｂと、カッター本体の前端側に設けられたテープ切断部１３，２３と、カッター本体の後端側に設けられ、テープロール４０が回転可能に載置されるテープロール支持部１５，２５とを備えているので、テープロール４０を取り替える際に、テープロール４０を上方からカッター本体１０，２０のテープロール支持部１５，２５に載置するだけでテープロール４０を装填することができる。すなわち、従来のようにテープロール４０自体に装着するテープロール支持部材を必要とすることがなく、カッター本体の上方からテープロール４０を抜き差しするだけでテープロール４０の取り替え作業を行うことができる。
【００２６】
また、各カッター本体１０，２０の一方の側板１１ａ，１２ａには、テープロール４０とテープ切断部１３，２３との間のテープ４１を下方に案内するガイド部１４，２４が突設されているので、テープ４１をテープロール４０から引き出す際に、テープ４１がテープロール４０のテープ引出部４０aよりも下方の位置を通ることになり、テープロール４０にはテープ４１から常に下方向への力、すなわちテープロール４０をテープロール支持部１５，２５に押し付けようとする力が加わり、テープロール４０をテープロール支持部１５，２５上に確実に保持しながらテープの引き出しを行うことができる。
【００２７】
さらに、他方の側板１１ｂ，１２ｂには、テープロール４０から引き出したテープ４１をガイド部１４，２４の下方と他方の側板１１ｂ，１２ｂとの間を挿通させるための切り欠き部１６，２６が形成されているので、切り欠き部１６，２６に指およびテープ４１を通すことができる。これにより、テープ４１を容易にガイド部１４，２４の下方に配置することができるので、テープロール４０の取り替え作業を迅速に行うことができる。
【００２８】
また、各カッター本体１０，２０は、切り欠き部１６，２６を備えた他方の側板１１ｂ，１２ｂがカッター全体の幅方向外側に位置するように形成されているので、各カッター本体１０，２０が互いに隣接していても、テープロール４０から引き出したテープ４１をガイド部１４，２４の下方に配置する作業を、いずれのカッター本体１０，２０においても支障なく行うことができる。
【符号の説明】
【００２９】
１…テープカッター
１０…第１のカッター本体
１１…側板
１２…底板
１３…テープ切断部
１４…ガイド部
１５…テープロール支持ローラ
１６…切り欠き部
２０…第２のカッター本体
２１…側板
２２…底板
２３…テープ切断部
２４…ガイド部
２５…テープロール支持ローラ
２６…切り欠き部
３０…連結板
４０…テープロール
４１…テープ
【図１】
0003227456.tif 000003
【図２】
0003227456.tif 000004
【図３】
0003227456.tif 000005
【図４】
0003227456.tif 000006
【図５】
0003227456.tif 000007
【図６】
0003227456.tif 000008
【図７】
0003227456.tif 000009
【図８】
0003227456.tif 000010